(57)【要約】【課題】  鉄筋コンクリート造りの建築においてクレーンを設置する位置は重要な問題であり、建物の外側にクレーンを設置し、躯体の進捗に合わせマストを継ぎ足す工法が用いられているが、クレーンを支える水平ステーと継ぎ足すマストの数は建物の高さに比例し、多くなり、コスト増大の要因であり、順次行われるクライミング作業は高所での危険な作業が続く為、建物の内部をフロアークライミングする技術が望まれているが、従来の躯体とクレーンの支持方法では梁の負担が大きい為、荷重の軽減が必要である。【解決手段】  この発明は、図１、２、５に示すようにクライミングクレーンの荷重を支えるマスト受け台に取り付けた複数層の桁で、クレーンの荷重を構築された複数階の梁に荷重を分散するのを特徴とするクレーンの、複数の桁に荷重センサーを設け、構築された複数の梁の支持部に調整機を設け、桁と梁の支持部に作用する荷重の計測と調整をする事で、各々の躯体に作用する荷重の管理が出来る、クライミングクレーン。【選択図】図１
2007131453.tif 000002
【特許請求の範囲】
【請求項１】
構築物に設置されるクライミングクレーンの荷重を支えるマスト受け台に設けた桁に、荷重センサーと調整機を設け、構築物に作用するクレーンの荷重を計測と調整が出来るのを特徴とする、クライミングクレーン。
【請求項２】
請求項１記載のクライミングクレーンの荷重を支えるマスト受け台に設けた複数層の桁で、クレーンの荷重を複数階の梁に分散し、複数の荷重センサーと複数の調整機を設け、桁と梁の支持部に作用するクレーンの荷重を計測と調整が出来るクライミングクレーン。
【請求項３】
請求項２記載のクライミングクレーンであって、二層の桁を設け、上桁に荷重センサーと梁の支持部に調整機を設け、上桁の支持部に作用する荷重の計測と調整が出来る、クライミングクレーン。
【請求項４】
請求項１記載のクライミングクレーンであって、マスト受け台に複数の折り畳み桁を設け、各々の桁と梁の支持部に荷重センサーと調整機を設け、支持部に作用する荷重の計測と調整が出来る、クライミングクレーン。
【請求項５】
請求項２記載のクライミングクレーンであって上、中、下、の三層の桁を設け、各々の桁に荷重センサーを取付、各々の支持部に調整機を設け、各々の支持部に作用する荷重の計測と調整が出来る、クライミングクレーン。
【発明の詳細な説明】
【技術分野】
【０００１】  この発明は、構造物を建設するクライミングクレーンであり、順次構築した上階に移設を行うもので、クレーンの荷重を複数の桁で支えるクライミングクレーンに関する物である。
【背景技術】
【０００２】  従来のクライミングクレーンは図６に示すように構築した一つの階の２本の梁で、クレーンの全荷重を支える為、荷重を支える躯体の梁が弱い場合の補強作業は構築された室内であり、揚重機が使えず手作業が多くなり、尚かつ開口部に近く危険を伴う作業であり、解体を含め手間の掛かる作業である。【０００３】  これまで、クレーンの荷重を上下階の梁に分散した場合、上下階の梁の支持部に作用する荷重の計測と調整をする技術が無いため、躯体に作用する荷重は確認出来なかった。【０００４】  図６に示すように、上からの荷重は補強柱とジャッキを用いて下階へ伝えるが、引き上げるマイナス荷重を下階へ伝えるにはアンカーボルトを下階へ通し引っ張る機材が必要である。
【特許文献１】  特許登録  第２５２９０６７号
【特許文献２】  特許公開  ２００５−１５４１３７号
【発明の開示】
【発明が解決しようとする課題】
【０００５】  鉄筋コンクリート造りの建築においてクレーンを設置する位置は重要な問題であり、建物の外側にクレーンを設置し、躯体の進捗に合わせマストを継ぎ足す工法が用いられているが、クレーンを支える水平ステーと継ぎ足すマストの数は建物の高さに比例し、多くなり、コスト増大の要因であり、順次行われるクライミング作業は高所での危険な作業が続く為、建物の内部をフロアークライミングする技術が望まれている。
【課題を解決するための手段】
【０００６】  この発明は、図１、５、７、に示すようにクライミングクレーンの荷重を支えるマスト受け台に取り付けた複数層の桁で、クレーンの荷重を構築された複数階の梁に荷重を分散するのを特徴とするクレーンの、複数の桁に荷重センサーと調整機を設け、桁と梁の支持部に作用する荷重の計測と調整をする事で、各々の躯体に作用する荷重の管理が出来る、クライミングクレーン。
【発明の効果】
【０００７】  この発明の荷重センサーと調整機を設けたクレーンの利点は、従来は躯体の強度が不足しフロアークライミングが不可能だった建物でも、荷重を上下の躯体に分散する事でフロアークライミングが出来、安全な作業環境が確保される。【０００８】  各々の桁と梁の支持部に掛かる荷重を管理する事で躯体の梁に無理な力を掛ける事が無く、建築中の品質の確保と安全なクレーン作業が出来る。【０００９】  建築物の中央寄りにクレーンを設置するので小型で済み、作業効率が良くなり、継ぎ足しのマスト、水平ステーが不要でコスト低減となる。
【発明を実施するための最良の形態】
【００１０】  本発明は、図１、２、に示すように、フロアークライミングを行うクライミングクレーン１６であり、マスト１を摺動する昇降装置２を具備し、構築された躯体に支持するもので、マスト受け台３に取り付けた上桁４、桁５でクレーンの荷重を構築された複数の梁１２に荷重を分散するのを特徴とするクレーンの、上桁４桁５に荷重センサー１０を設け、梁１２の支持部２３に調整機６を設け、各々支持部２３に作用する荷重の計測と調整をする事で、各々の梁１２に荷重を分散し、管理が出来る、クライミングクレーン。
【実施例１】
【００１１】    図１、４に示すようにマスト受け台３に上桁４、桁５の二層の桁を設け、上桁４と構築された梁１２の支持部２３に荷重センサー１０と調整機６を設け、上桁４の支持部四カ所に掛かる荷重の計測と調整が出来る、クライミングクレーン。
【実施例２】
【００１２】    図１、２に示すようにマスト受け台に上桁４、桁５を設け、上桁４と構築された梁１２の支持部２３に荷重センサー１０と調整機６を設け、調整ネジ７で梁１２に作用する荷重の計測と調整が出来る、クライミングクレーン。
【実施例３】
【００１３】  図１、４、に示すように、上下二層の桁を設け、上桁４、下桁５と構築された梁１２の支持部２３に荷重センサー１０と調整機６を設け、上桁４、桁５の両方の支持部に掛かる荷重の計測と調整が出来るもので、調整機のシムライナー９の増減で梁１２に掛かる荷重の計測と調整が出来る、クライミングクレーン。
【実施例４】
【００１４】  図３、７に示すように、マスト受け台３に取り付けた上桁４，桁５、下桁３０に荷重センサー１０を設け、三層各々の折り畳み桁２４と構築された三層階の梁１２の支持部２３に設けたくさび８を出し入れで調整し、各々の支持部２３に作用する荷重の計測と調整のが出来る、クライミングクレーン。
【産業上の利用可能性】
【００１５】  本発明は、コンクリート造り建築物の建築工事において、梁の強度が一層階でクレーンの荷重をを支えきらない場合、二層階に分散する事でフロアークライミング工法を利用出来る。
【図面の簡単な説明】
【００１６】
【図１】この発明を示す立面の一部カット図である。
【図２】実施例１、２を示す立面の一部カット図である。
【図３】実施例１、２、４を示す立面の一部カット図である。
【図４】実施例１、３を示す平面の一部カット図である。
【図５】実施例３を示す平面の一部カット図である。
【図６】従来の技術を示す立面図である。
【図７】実施例４を示す立面図である。
【付号の説明】
【００１７】１・・・マスト                        １６・・クライミングクレーン
２・・・昇降装置                      ２１・・押しボルト
３・・・マスト受け台                  ２２・・ジャッキ
４・・・上桁                          ２３・・支持部
５・・・桁                            ２４・・折り畳み桁
６・・・調整機                        ２５・・補強柱
７・・・調整ネジ                      ２６・・床
８・・・くさび                        ２７・・受け桁
９・・・シムライナー                  ２８・・アンカーボルト穴
１０・・荷重センサー                  ２９・・柱
１１・・ひんじ                        ３０・・下桁
１２・・梁                            ３１・・ベース架台
１３・・かんざし                      ３２・・荷重表示機
１４・・アンカーボルト                ３３・・信号ケーブル
【図１】
2007131453.tif 000003
【図２】
2007131453.tif 000004
【図３】
2007131453.tif 000005
【図４】
2007131453.tif 000006
【図５】
2007131453.tif 000007
【図６】
2007131453.tif 000008
【図７】
2007131453.tif 000009